(57)【特許請求の範囲】
【請求項１】
浴槽と洗い場とが第１方向に並ぶ浴室の天井に設けられる浴室乾燥機であって、
前記浴室内の空気を吸い込む吸込部と、
前記吸込部から吸い込まれた空気を流す内部流路と、
前記内部流路を流れた空気を前記浴室内に吹き出す吹出部であって、その長手方向が前記第１方向と直交する第２方向に沿うように設けられる前記吹出部と、
前記洗い場側に設けられ、開口部を介して前記浴室内に空気を導入する空気導入部と、を備え、
前記開口部は、該開口部を介して前記浴室内に導入される空気の流れ方向が略鉛直下向きになるように開口しており、
前記第１方向において、前記天井の一端部から他端部までの領域を３等分して見た場合に、前記吹出部は前記洗い場上方の前記一端部側の領域に設けられ、前記吸込部は前記他端部側の領域に設けられており、
前記吹出部は、前記内部流路を流れた空気を前記洗い場側に吹き出す第１吹出口と、前記内部流路を流れた空気を前記浴槽側に吹き出す第２吹出口と、を有し、
前記第２吹出部から吹き出す空気の流量は、前記第１吹出部から吹き出す空気の流量よりも多いことを特徴とする浴室乾燥機。
【請求項２】
前記第１吹出部から前記洗い場側に吹き出す空気は、前記空気導入部から前記浴室内に導入される空気と合流することを特徴とする請求項１に記載の浴室乾燥機。
【請求項３】
前記吹出部の長手方向において、前記吹出部の一端部から該一端部寄りの前記浴室の壁面までの距離と、前記吹出部の他端部から該他端部寄りの前記浴室の壁面までの距離とは、いずれも前記吹出部の長手方向寸法よりも小さいことを特徴とする請求項１又は２に記載の浴室乾燥機。
【請求項４】
前記吸込部の長手方向において、前記吸込部の一端部から該一端部寄りの前記浴室の壁面までの距離と、前記吸込部の他端部から該他端部寄りの前記浴室の壁面までの距離とは、いずれも前記吸込部の長手方向寸法よりも小さいことを特徴とする請求項１乃至請求項３のいずれか１項に記載の浴室乾燥機。
【請求項５】
前記吸込部及び前記吹出部は、それぞれの長手方向が互いに略平行となるように設けられていることを特徴とする請求項１乃至請求項４のいずれか１項に記載の浴室乾燥機。
【発明の詳細な説明】
【技術分野】
【０００１】
本発明は、浴室の天井に設けられる浴室乾燥機に関する。
【背景技術】
【０００２】
浴室内に気流を生成することで、浴室内を乾燥させる浴室乾燥機が広く普及している。このような浴室乾燥機では、ファンの駆動により浴室内の空気を吸い込み、当該空気を浴室内に吹き出して戻すものが一般的である。浴室内を循環する気流により、浴室内の残水の蒸発が促され、カビの発生を抑制することができる。
【０００３】
浴室乾燥機は、一般的に装置全体がユニット化されており、浴室の天井にユニット全体を嵌め込むことにより構成される。例えば、下記特許文献１に開示される浴室乾燥機も、ユニット状の本体を浴室の天井パネルの中央に嵌め込むことにより取り付ける構成である。
【先行技術文献】
【特許文献】
【０００４】
【特許文献１】特開平８−１４５５５９号公報
【発明の概要】
【発明が解決しようとする課題】
【０００５】
ところで、上記特許文献１には、吹出口から複数の方向に空気を吹き出すことが可能な浴室乾燥機が記載されている。吹出口から吹き出す空気によって形成される気流のうち、例えば浴槽側に向かう気流は、浴槽の一部（例えば浴槽の内槽面やエプロン等）によって乱され、当該気流が浴室内で滞留するおそれがあった。吹出口から吹き出す空気によって形成される気流が滞留してしまうと、浴室内全体を乾燥させることができなかった。このように、上記特許文献１には、吹出口から複数の方向に空気を吹き出すことが開示されているものの、吹出口から複数の方向に吹き出す空気により形成される気流が浴室内で滞留してしまうことを抑制するような構成については開示されていない。
【０００６】
本発明はこのような課題に鑑みてなされたものであり、その目的は、吹出口から吹き出す空気によって形成される気流が浴室内で滞留することを抑制し、浴室内全体を乾燥させることが可能な浴室乾燥機を提供することにある。
【課題を解決するための手段】
【０００７】
上記課題を解決するために、本発明に係る浴室乾燥機は、浴槽と洗い場とが第１方向に並ぶ浴室の天井に設けられる浴室乾燥機であって、前記浴室内の空気を吸い込む吸込部と、前記吸込部から吸い込まれた空気を流す内部流路と、前記内部流路を流れた空気を前記浴室内に吹き出す吹出部であって、その長手方向が前記第１方向と直交する第２方向に沿うように設けられる前記吹出部と、を備え、前記第１方向において、前記天井の一端部から他端部までの領域を３等分して見た場合に、前記吹出部は前記浴槽上方の前記一端部側の領域に設けられ、前記吸込部は前記他端部側の領域に設けられており、前記吹出部から前記浴槽側に吹き出す空気の流量は、前記吹出部から前記洗い場側に吹き出す空気の流量よりも少ないことを特徴とする。
【０００８】
本発明に係る浴室乾燥機によれば、吹出部から洗い場側に向けて吹き出す空気の流量は、吹出部から浴槽側に向けて吹き出す空気の流量よりも大きくなっている。これにより、吹出部から洗い場側に向けて優先的に空気を吹き出して気流を形成することが可能となる。このため、吹出部から浴槽側に向けて吹き出す空気によって形成される気流が浴槽内で旋回した場合でも、吹出部から洗い場側に向けて吹き出す空気により形成される気流の滞留が抑制され、浴槽及び洗い場の双方に気流を到達させることができる。その結果、浴室全体を乾燥させることができる。
【０００９】
また本発明に係る浴室乾燥機は、浴槽と洗い場とが第１方向に並ぶ浴室の天井に設けられる浴室乾燥機であって、前記浴室内の空気を吸い込む吸込部と、前記吸込部から吸い込まれた空気を流す内部流路と、前記内部流路を流れた空気を前記浴室内に吹き出す吹出部であって、その長手方向が前記第１方向と直交する第２方向に沿うように設けられる前記吹出部と、を備え、前記第１方向において、前記天井の一端部から他端部までの領域を３等分して見た場合に、前記吹出部は前記洗い場上方の前記一端部側の領域に設けられ、前記吸込部は前記他端部側の領域に設けられており、前記吹出部から前記浴槽側に吹き出す空気の流量は、前記吹出部から前記洗い場側に吹き出す空気の流量よりも多いことを特徴とする。
【００１０】
本発明に係る浴室乾燥機では、吹出部から浴槽側に向けて吹き出す空気の流量は、吹出部から洗い場側に向けて吹き出す空気の流量よりも大きくなっている。これにより、吹出部から浴槽側に向けて優先的に空気を吹き出して気流を形成することが可能となる。このため、吹出部から洗い場側に向けて吹き出す空気によって形成される気流が洗い場から例えば浴槽のエプロンにかけて旋回した場合でも、吹出部から浴槽側に向けて吹き出す空気により形成される気流の滞留が抑制され、浴槽及び洗い場の双方に気流を到達させることができる。その結果、浴室全体を乾燥させることができる。
【００１１】
また本発明に係る浴室乾燥機では、前記吹出部から前記洗い場側に吹き出す空気は、前記洗い場側に設けられる空気導入部から前記浴室内に導入される空気と合流することも好ましい。
【００１２】
この好ましい態様では、空気導入部から浴室内に導入される空気と、吹出部から洗い場側に吹き出される空気とが合流して洗い場側に向かう気流が形成されるため、洗い場側により多くの空気が流れやすくなり、洗い場をより早く乾燥させることができる。
【００１３】
また本発明に係る浴室乾燥機では、前記吹出部の長手方向において、前記吹出部の一端部から該一端部寄りの前記浴室の壁面までの距離と、前記吹出部の他端部から該他端部寄りの前記浴室の壁面までの距離とは、いずれも前記吹出部の長手方向寸法よりも小さいことも好ましい。
【００１４】
この好ましい態様では、吹出部の長手方向寸法に対して、吹出部の各端部から浴室の各壁面までの距離を小さくしたことで、吹出部から吹き出した空気は、各壁面近傍の空気を巻き込みながら、幅広のカーテン状の気流を形成するため、気流を浴室内の広範囲に行きわたらせ、乾燥させることが可能となる。
【００１５】
また本発明に係る浴室乾燥機では、前記吸込部の長手方向において、前記吸込部の一端部から該一端部寄りの前記浴室の壁面までの距離と、前記吸込部の他端部から該他端部寄りの前記浴室の壁面までの距離とは、いずれも前記吸込部の長手方向寸法よりも小さいことも好ましい。
【００１６】
この好ましい態様では、吸込部の長手方向寸法に対して、吸込部の各端部から浴室の各壁面までの距離を小さくしたことで、吸込部により吸い込む浴室内の空気は、各壁面近傍の空気を巻き込みながら、幅広のカーテン状の気流を形成するため、気流を浴室内の広範囲に行きわたらせ、乾燥させることが可能となる。
【００１７】
また本発明に係る浴室乾燥機では、前記吸込部及び前記吹出部は、それぞれの長手方向が互いに略平行となるように設けられていることも好ましい。
【００１８】
この好ましい態様では、吸込部と吹出部のそれぞれの長手方向を互いに略平行とすることで、吹出部から空気を吹き出すことで形成した幅広のカーテン状の気流を、その形状を崩すことなく吸込部に至らせることができるため、気流を浴室内の広範囲に行きわたらせ、乾燥させることが可能となる。
【発明の効果】
【００１９】
本発明によれば、吹出口から吹き出す空気によって形成される気流が浴室内で滞留することを抑制し、浴室内全体を乾燥させることが可能な浴室乾燥機を提供することができる。
【図面の簡単な説明】
【００２０】
【図１】本発明の第１実施形態に係る浴室乾燥機を備えた浴室乾燥機付きユニットバスを表す斜視模式図である。
【図２】本発明の第１実施形態に係る浴室乾燥機の送気装置を表す斜視模式図である。
【図３】本発明の第１実施形態に係る浴室乾燥機を備えた浴室乾燥機付きユニットバスを表す平面視模式図である。
【図４】本発明の第１実施形態に係る浴室乾燥機の吹出口近傍を表す断面視模式図である。
【図５】本発明の第１実施形態に係る浴室乾燥機を備えた浴室乾燥機付きユニットバスの浴室空間の気流を表す斜視模式図である。
【図６】本発明の第１実施形態に係る浴室乾燥機を備えた浴室乾燥機付きユニットバスの浴室空間の気流を表す正面視模式図である。
【図７】本発明の第２実施形態に係る浴室乾燥機を備えた浴室乾燥機付きユニットバスの浴室空間の気流を表す斜視模式図である。
【図８】本発明の第２実施形態に係る浴室乾燥機を備えた浴室乾燥機付きユニットバスの浴室空間の気流を表す正面視模式図である。
【発明を実施するための形態】
【００２１】
以下、添付図面を参照しながら本発明の実施形態について説明する。説明の理解を容易にするため、各図面において同一の構成要素に対しては可能な限り同一の符号を付して、重複する説明は省略する。
【００２２】
まず、図１を参照して、本発明の第１実施形態に係る浴室乾燥機について説明する。図１は、本発明の第１実施形態に係る浴室乾燥機を備えた浴室乾燥機付きユニットバスを表す斜視模式図である。
【００２３】
図１に表すように、浴室乾燥機付きユニットバス１は、ユニットバス２と、浴室乾燥機３と、を有している。
【００２４】
ユニットバス２は、正面パネル２１と、背面パネル２２と、左側面パネル２３と、右側面パネル２４と、床パネル２５と、天井パネル２６と、を有している。ユニットバス２の内部には、これら６枚のパネルによって囲まれる略直方体形状の浴室空間２０が形成されている。
【００２５】
以下、背面パネル２２から正面パネル２１にわたる方向（矢印Ｘ方向）を「奥行方向」という。また、奥行方向に直交する方向であって、左側面パネル２３から右側面パネル２４にわたる方向（矢印Ｙ方向）を「左右方向」という。さらに、床パネル２５から天井パネル２６にわたる方向を「上下方向」という。
【００２６】
浴室空間２０には、浴槽２Ｂが設けられている。浴槽２Ｂは、左右方向がその長手方向となるように設けられ、背面パネル２２寄りの位置に配置されている。床パネル２５の上面のうち、浴槽２Ｂよりも正面パネル２１側の部分は、入浴者が洗身や洗髪を行う場所となる洗い場２Ｗとされており、浴槽２Ｂと洗い場２Ｗとは奥行方向に並べられている。浴槽２Ｂと洗い場２Ｗが並べられることにより、浴室空間２０の下部には段差が生じることとなり、洗い場２Ｗの端部と、浴槽２Ｂのリム部２Ｂ１の端部とを繋ぐように、浴槽２Ｂの側面を隠す化粧板であるエプロン２Ｅが立設されている。
【００２７】
浴室乾燥機３は、吸気装置３１と、連通管３３と、送気装置３４と、を有しており、浴室空間２０の天井パネル２６に設けられている。吸気装置３１は、その下方に開設された吸込口３２から浴室空間２０の空気を吸い込み、その内部に取り込む装置である。送気装置３４は、吸気装置３１と奥行方向に間隔を空けて配置されており、内部に取り込んだ空気を加熱し、その下方に開設された吹出口３５から浴室空間２０に吹き出す装置である。連通管３３は、吸気装置３１及び送気装置３４の内部に連通しており、吸気装置３１の内部に取り込まれた空気を、送気装置３４の内部に流す管状部材である。尚、図１では、吸気装置３１及び送気装置３４の内部構成の図示を省略している。
【００２８】
浴室乾燥機３が運転することにより、浴室空間２０の空気は、吸気装置３１によって吸い込まれ、その後、送気装置３４によって浴室空間２０に吹き出して戻される。すなわち、浴室乾燥機３を介して浴室空間２０の空気が循環することとなる。循環しながら送気装置３４によって繰り返し加熱されることで、浴室空間２０の空気が昇温していく。
【００２９】
吸気装置３１の吸込口３２は、複数の孔３２ａが左右方向に互いに離間して１列に並べられることで構成されており、その外形は、左右方向を長手方向とする扁平形状となっている。同様に、送気装置３４の吹出口３５は、複数の孔（図１において図示せず）が左右方向に互いに離間して１列に並べられることで構成されており、その外形は、左右方向を長手方向とする扁平形状となっている。吸込口３２の複数の孔３２ａが並べられる方向と、吹出口３５の複数の孔が並べられる方向とは、略平行とされている。吸込口３２と吹出口３５は、それぞれ空気の吸い込みと吹き出しを行うことにより、浴室空間２０に幅広のカーテン状の気流を形成する。
【００３０】
次に、図２を参照して、送気装置３４の構成について説明する。図２は、本発明の第１実施形態に係る浴室乾燥機の送気装置を表す斜視模式図である。
【００３１】
図２に表すように、送気装置３４は、ケーシング３６と、温風供給ユニット４０と、を有している。
【００３２】
ケーシング３６は、送気装置３４の筐体となる金属製箱体であり、その外形は左右方向（矢印Ｙ方向）を長手方向とする略直方体形状を呈している。ケーシング３６の吸気装置３１側の側面には、ケーシング３６の内部に連通する連通口３７が開設されており、連通管３３の端部がこの連通口３７に接続されている。
【００３３】
温風供給ユニット４０は、空気を加熱して浴室空間２０に吹き出すためのユニットであり、ケーシング３６の内部に配置されている。温風供給ユニット４０は、ファン４１と、パイプ４３と、を有している。また、パイプ４３の内部には、３つのヒータ４４ａ、４４ｂ、４４ｃが配置されている。
【００３４】
ファン４１は、電力の供給を受けて運転する電動送風機であり、ここでは遠心型ファンを採用している。ファン４１は、電力の供給を受けるとモータ（図示せず）が回転駆動し、その出力軸に固定されたシロッコファン（図示せず）が、上下方向に延びる軸を中心として回転する。これにより、上方に向けて開口する吸引口４１ａから空気が吸引され、左右方向で右側面パネル２４側に向けて吹き出される。
【００３５】
パイプ４３は、ファン４１と左右方向（矢印Ｙ方向）に隣り合うように配置された金属製の管状部材である。パイプ４３は、ファン４１とは反対側の端部４３ｂが閉塞されている一方で、ファン４１側の端部４３ａが開放されている。これにより、ファン４１が吹き出した空気は、端部４３ａからパイプ４３の内部に流入する。後述するように、パイプ４３の内部には、ルーバー４６２（図２では図示せず）が回動自在に設けられている。
【００３６】
ケーシング３６の内部は、パイプ４３が配置されることにより、パイプ４３の外部の第１内部流路４０１と、第１内部流路４０１の下流側の流路であってパイプ４３の内部の第２内部流路４０２とに区画される。すなわち、連通口３７からケーシング３６の内部に取り込まれ、第１内部流路４０１を左右方向で左側面パネル２３側に向かって流れた空気は、ファン４１によって吹き出され、折り返すようにして第２内部流路４０２を左右方向で右側面パネル２４側に向かって流れることになる。
【００３７】
ヒータ４４ａ、４４ｂ、４４ｃは、いずれも、第２内部流路４０２の吹出口３５の近傍に配置され、電力の供給を受けて発熱する。また、ヒータ４４ａ、４４ｂ、４４ｃは、吹出口３５の長手方向（左右方向）に沿って、互いに間隔を空けて並べられている。
【００３８】
次に、図３乃至図６を参照して、吸込口３２及び吹出口３５の配置と、それらによって浴室空間２０に形成される気流について説明する。図３は、本発明の第１実施形態に係る浴室乾燥機を備えた浴室乾燥機付きユニットバスを表す平面視模式図である。図４は、本発明の第１実施形態に係る浴室乾燥機の吹出口近傍を表す断面視模式図である。図５は、本発明の第１実施形態に係る浴室乾燥機を備えた浴室乾燥機付きユニットバスの浴室空間の気流を表す斜視模式図である。図６は、本発明の第１実施形態に係る浴室乾燥機を備えた浴室乾燥機付きユニットバスの浴室空間の気流を表す正面視模式図である。詳細には、図３は、ユニットバス２と、吸込口３２及び吹出口３５との位置関係を表す模式図であり、図４は、左右方向に垂直な平面におけるパイプ４３の断面図である。
【００３９】
図３に表すように、奥行方向（矢印Ｘ方向）において、天井パネル２６の端部２６Ｂ（背面パネル２２側）から端部２６Ｆ（正面パネル２１側）までの領域を、領域Ｘ１、Ｘ２、Ｘ３に３等分して見た場合に、吹出口３５は領域Ｘ１（浴槽２Ｂ上方の領域）に設けられ、吸込口３２は領域Ｘ３に設けられている。換言すれば、天井パネル２６の奥行方向寸法をＬｘとすると、吹出口３５は端部２６Ｂから距離Ｌｘ／３の範囲内に設けられ、吸込口３２は端部２６Ｆから距離Ｌｘ／３の範囲内に設けられている。また、吹出口３５は、奥行方向において吸込口３２よりも浴槽２Ｂ側に設けられている。
【００４０】
吹出口３５の長手方向である左右方向（矢印Ｙ方向）において、吹出口３５の端部から左側面パネル２３までの距離３５Ｙ１と、吹出口３５の端部から右側面パネル２４までの距離３５Ｙ２は、いずれも吹出口３５の長手方向寸法３５Ｙよりも小さい。
【００４１】
また、吸込口３２の長手方向である左右方向（矢印Ｙ方向）において、吸込口３２の端部から左側面パネル２３までの距離３２Ｙ１と、吸込口３２の端部から右側面パネル２４までの距離３２Ｙ２は、いずれも吸込口３２の長手方向寸法３２Ｙよりも小さい。
【００４２】
図４に表すように、パイプ４３は、その下方の一部に切欠４３ｃを有している。また、その切欠４３ｃを覆うように、パイプ４３の内部には断面が円弧形状のルーバー４６２が設けられている。ルーバー４６２は、その一部に孔３５ａａ、孔３５ｂｂが奥行方向（矢印Ｘ方向）に互いに離間した位置に開設されている。パイプ４３の内部の第２内部流路４０２は、孔３５ａａで構成される第１吹出口３５ａ及び孔３５ｂｂで構成される第２吹出口３５ｂを介して浴室空間２０と連通している。
【００４３】
孔３５ａａ及び孔３５ｂｂは、いずれも複数開設されている。孔３５ｂｂは、孔３５ａａよりも洗い場２Ｗ寄りの部位に開設されており、その径は、孔３５ａａの径よりも大きい。孔３５ｂｂの中心軸Ｃ２が洗い場２Ｗ方向に向けられているのに対し、孔３５ａａの中心軸Ｃ１は浴槽２Ｂ方向に向けられている。左右方向（矢印Ｙ方向）に互いに離間して１列に並べられる複数の孔３５ａａにより、外形が左右方向を長手方向とする扁平形状の第１吹出口３５ａが構成されている。同様に、左右方向（矢印Ｙ方向）に互いに離間して１列に並べられる複数の孔３５ｂｂにより、外形が左右方向を長手方向とする扁平形状の第２吹出口３５ｂが構成されている。
【００４４】
ファン４１（図２参照）によって吹き出され、パイプ４３の内部の第２内部流路４０２に流入した空気は、ルーバー４６２に開設された第１吹出口３５ａ及び第２吹出口３５ｂを上方から下方に通過し、浴室空間２０に吹き出す。この際、ヒータ４４ａ、４４ｂ、４４ｃ（図２参照）の近傍を通過する空気は、発熱して高温となっているヒータ４４ａ、４４ｂ、４４ｃからの熱伝達によって加熱され、高温となる。このため、空気はヒータ４４ａ、４４ｂ、４４ｃにより加熱された直後に、高温のまま浴室空間２０に吹き出す。
【００４５】
ルーバー４６２に開設された第１吹出口３５ａ及び第２吹出口３５ｂを通過して浴室空間２０に吹き出す空気により、浴室空間２０には、図６の矢印Ｆ６１に示すように、浴槽２Ｂ側に向かう気流と、矢印Ｆ６２に示すように、洗い場２Ｗ側に向かう気流とが同時に形成される。上記のように、第２吹出口３５ｂを構成する孔３５ｂｂは、第１吹出口３５ａを構成する孔３５ａａよりも径が大きいため、矢印Ｆ６２で示される第２吹出口３５ｂから洗い場２Ｗ側に向けて吹き出す空気の流量は、矢印Ｆ６１で示される第１吹出口３５ａから浴槽２Ｂ側に向けて吹き出す空気の流量よりも大きくなる。
【００４６】
図６に矢印Ｆ６１で示すように、第１吹出口３５ａから吹き出す空気によって形成され、背面パネル２２に沿って進行した後に浴槽２Ｂに到達した気流は、浴槽２Ｂの内槽部２Ｂ２に沿って旋回する。一方、矢印Ｆ６２で示すように、第２吹出口３５ｂから吹き出す空気によって形成され、洗い場２Ｗに到達した空気は、洗い場２Ｗ及び正面パネル２１に沿って進行した後、吸込口３２に向かう。
【００４７】
ところで、上記のように第１吹出口３５ａから吹き出された空気は浴槽２Ｂの内槽部２Ｂ２に沿って旋回するため、この旋回した気流が第２吹出口３５ｂから吹き出す空気によって形成される気流と、例えば浴槽２Ｂのリム部２Ｂ１近傍の領域（図６に示す円Ｒ１）で合流する。このようにそれぞれの気流が合流すると、浴槽２Ｂのリム部２Ｂ１近傍の領域で気流が滞留するおそれがある。気流が滞留してしまうと、浴室空間２０全体を乾燥できなくなってしまう。
【００４８】
そこで、本実施形態によれば、第２吹出口３５ｂから洗い場２Ｗ側に向けて吹き出す空気の流量を、第１吹出口３５ａから浴槽２Ｂ側に向けて吹き出す空気の流量よりも大きくしている。これにより、第２吹出口３５ｂから洗い場２Ｗ側に向けて優先的に空気を吹き出して気流を形成することが可能となる。このため、第１吹出口３５ａから浴槽２Ｂ側に向けて吹き出す空気によって形成される気流が浴槽２Ｂ内で旋回した場合でも、第２吹出口３５ｂから洗い場２Ｗ側に向けて吹き出す空気により形成される気流の滞留が抑制され、浴槽２Ｂ及び洗い場２Ｗの双方に気流を到達させることができる。その結果、浴室空間２０全体を乾燥させることができる。
【００４９】
また、吹出口３５の端部から左側面パネル２３までの距離３５Ｙ１と、吹出口３５の端部から右側面パネル２４までの距離３５Ｙ２を、いずれも吹出口３５の長手方向寸法３５Ｙよりも小さくすることで、吹出口から吹き出した空気は、正面パネル２１及び背面パネル２２近傍の空気を巻き込みながら、幅広のカーテン状の気流を形成する。これにより、気流を浴室空間２０の広範囲に行きわたらせ、乾燥させることが可能となる。
【００５０】
また、吸込口３２の端部から左側面パネル２３までの距離３２Ｙ１と、吸込口３２の端部から右側面パネル２４までの距離３２Ｙ２は、いずれも吸込口３２の長手方向寸法３２Ｙよりも小さくしたことで、吸込口３２により吸い込む浴室空間２０の空気は、正面パネル２１及び背面パネル２２近傍の空気を巻き込みながら、幅広のカーテン状の気流を形成するため、気流を浴室空間２０の広範囲に行きわたらせ、乾燥させることが可能となる。
【００５１】
また、吸込口３２の複数の孔３２ａが並べられる方向であって、吸込口３２の長手方向と、吹出口３５の複数の孔３５ａａが並べられる方向であって、吹出口３５の長手方向とを、互いに略平行としたことで、吹出口３５から空気を吹き出すことで形成した幅広のカーテン状の気流を、その形状を崩すことなく吸込口３２に至らせることができるため、気流を浴室空間２０に広範囲に行きわたらせ、乾燥させることが可能となる。
【００５２】
続いて、図７及び図８を参照して、本発明の第２実施形態に係る浴室乾燥機を備えた浴室乾燥機付きユニットバスの浴室空間に形成される気流について説明する。図７は、本発明の第２実施形態に係る浴室乾燥機を備えた浴室乾燥機付きユニットバスの浴室空間の気流を表す斜視模式図である。図８は、本発明の第２実施形態に係る浴室乾燥機を備えた浴室乾燥機付きユニットバスの浴室空間の気流を表す正面視模式図である。第２実施形態に係る浴室乾燥機は、送気装置３４及び吸気装置３１の位置関係が第１実施形態に係る浴室乾燥機と異なり、また、ガラリ９０（空気導入部）が設けられていることが第１実施形態に係る浴室乾燥機と異なるものである。第１実施形態と同じ部分については、第１実施形態のものと同一の符号を用い、それらについての説明は省略する。
【００５３】
図７及び図８に表すように、送気装置３４は、天井パネル２６における洗い場２Ｗ側上方に設けられている。吸気装置３１は、天井パネル２６における浴槽２Ｂ側上方に設けられている。より詳細には、奥行方向（矢印Ｘ方向）において、天井パネル２６の端部２６Ｂから端部２６Ｆまでの領域を、領域Ｘ１、Ｘ２、Ｘ３に３等分して見た場合に（図３参照）、吹出口３５は領域Ｘ３（洗い場２Ｗ上方の領域）に設けられ、吸込口３２は領域Ｘ１に設けられている。
【００５４】
なお、本実施形態に係る浴室乾燥機では、図４を参照しながら説明した第１実施形態に係る浴室乾燥機におけるルーバー４６２に開設された孔３５ａａ、孔３５ｂｂが、それぞれ互いに反対の位置に形成されている。より詳細には、第２実施形態に係る浴室乾燥機では、ルーバー４６２に開設された孔３５ｂｂは、孔３５ａａよりも浴槽２Ｂ寄りの部位に設けられている。そして、孔３５ｂｂの中心軸Ｃ２が浴槽２Ｂ方向に向けられているのに対し、孔３５ａａの中心軸Ｃ１は洗い場２Ｗ方向に向けられている。したがって、ファン４１（図２参照）によって吹き出され、ルーバー４６２に開設された第１吹出口３５ａ及び第２吹出口３５ｂを通過して浴室空間２０に吹き出される空気は、浴槽２Ｂ側に向かう気流と、洗い場２Ｗ側に向かう気流とが同時に形成される。上述したように、第２吹出口３５ｂを構成する孔３５ｂｂは、孔３５ａａよりも径が大きいため、第２吹出口３５ｂから浴槽２Ｂ側に向けて吹き出す空気の流量が、第１吹出口３５ａから洗い場２Ｗ側に向けて吹き出す空気の流量よりも大きくなる。
【００５５】
図７及び図８に示すように、ガラリ９０は、浴室空間２０の正面パネル２１に設けられている。ガラリ９０は、水平方向に延びて開口した開口部９１を有している。この開口部９１を介して外部から浴室空間２０内に空気を導入することが可能となっている。開口部９１から浴室空間２０内に導入された空気は、図８に示すように、第１吹出口３５ａから浴室空間２０に吹き出された空気と合流する。なお、開口部９１は、当該開口部９１を介して外部から浴室空間２０内に導入される空気の流れの方向が、略鉛直下方向になるように正面パネル２１に開口されていることが望ましい。
【００５６】
続いて、浴室空間２０に形成される気流について説明する。図８の矢印Ｆ８２で表されるように、第２吹出口３５ｂから吹き出された空気によって形成される気流は、浴槽２Ｂ側に向かう。一方で、矢印Ｆ８１で表されるように、第１吹出口３５ａから吹き出され、洗い場２Ｗ側に向かう気流は、ガラリ９０の開口部９１から浴室空間２０内に導入される空気によって形成される気流（矢印Ｆ８３）と合流する。矢印Ｆ８１と矢印Ｆ８３で表されるそれぞれの気流が合流した気流は、矢印Ｆ８４で表されるように、正面パネル２１に沿って進行し、洗い場２Ｗの床パネル２５に沿って進行した後、床パネル２５とエプロン２Ｅとの接続部分を通過し、浴槽２Ｂのエプロン２Ｅに沿って旋回する。この気流により乾きにくい接続部分についても乾燥を促進させることができる。
【００５７】
ところで、上記のように矢印Ｆ８４で表される浴槽２Ｂのエプロン２Ｅに沿って旋回した気流は、矢印Ｆ８２で表される吹出口３５から浴槽２Ｂ側に向けて吹き出す空気によって形成される気流と、浴槽２Ｂのリム部２Ｂ１近傍の領域（図８に示す円Ｒ２）で合流する。このようにそれぞれの気流が合流すると、浴槽２Ｂのリム部２Ｂ１近傍の領域で気流が滞留するおそれがある。気流が滞留してしまうと、浴室空間２０全体を乾燥できなくなってしまう。
【００５８】
そこで、本実施形態によれば、吹出口３５から浴槽２Ｂ側に向けて吹き出す空気の流量を、吹出口３５から洗い場２Ｗ側に向けて吹き出す空気の流量（又は吹出口３５から洗い場２Ｗ側に向けて吹き出す空気の流量とガラリ９０の開口部９１から浴室空間２０内に導入される空気の流量との和）よりも大きくしている。これにより、吹出口３５から浴槽２Ｂ側に向けて優先的に空気を吹き出して気流を形成することが可能となる。このため、吹出口３５から洗い場２Ｗ側に向けて吹き出す空気によって形成される気流が浴槽２Ｂのエプロン２Ｅに沿って旋回した場合でも、吹出口３５から浴槽２Ｂ側に向けて吹き出す空気により形成される気流の滞留が抑制され、浴槽２Ｂ及び洗い場２Ｗの双方に気流を到達させることができる。その結果、浴室空間２０全体を乾燥させることができる。
【００５９】
また本実施形態によれば、浴室空間２０の洗い場２Ｗ側にはガラリ９０が設けられている。このガラリ９０を介して浴室空間２０内に導入される空気と第１吹出口３５ａから洗い場２Ｗ側に吹き出される空気とを合流させて洗い場２Ｗ側に向かう気流を形成することが可能となる。これにより、洗い場２Ｗにより多くの空気が流れやすく、洗い場２Ｗをより早く乾燥させることができる。尚、左側面パネル２３又は右側面パネル２４にガラリ９０が設けられる場合でも、正面パネル２１にガラリが設けられる場合と同様の効果を得られる。
【００６０】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００６１】
１    ：浴室乾燥機付きユニットバス
２    ：ユニットバス
２Ｂ  ：浴槽
２Ｗ  ：洗い場
２６  ：天井パネル（天井）
３    ：浴室乾燥機
２０  ：浴室空間（浴室）
３２  ：吸込口（吸込部）
３５  ：吹出口（吹出部）
９０  ：ガラリ（空気導入部）
４０１：第１内部流路（内部流路）
４０２：第２内部流路（内部流路）
４６２：ルーバー
【図１】
0006459347.tif 000002
【図２】
0006459347.tif 000003
【図３】
0006459347.tif 000004
【図４】
0006459347.tif 000005
【図５】
0006459347.tif 000006
【図６】
0006459347.tif 000007
【図７】
0006459347.tif 000008
【図８】
0006459347.tif 000009